(57)【要約】      （修正有）【課題】簡便な方法で転倒の恐れを抑制し、安全に移動させることができるストレッチャー分離型ベッドを提供する。【解決手段】ストレッチャー３と、ストレッチャーと分離可能に結合してベッドを構成するベッド本体とを備え、ストレッチャーの身体支持部４を構成する前方支柱５および後方支柱６を備え、前方支柱および後方支柱を身体支持部下面に沿って保持する手段を設ける構成とし、ストレッチャーがベッド本体と分離した状態では前方支柱および後方支柱は身体保持部から下方に向けて伸びることにより、身体支持部と床面との距離を一定以上に保つ。【選択図】図１ｂ
2018046956.tif 000002
【特許請求の範囲】
【請求項１】
ストレッチャーと、前記ストレッチャーと分離可能に結合してベッドを構成するベッド本体とを備えたストレッチャー分離型ベッドであって、
前記ストレッチャーは、背中から脚までを支持する身体支持部と、前記身体支持部の座面付近を支持する基台部と、前記基台部を支持する移動部とを備え、
前記身体支持部は、前方に配置された一対の前方支柱と、後方に配置された一対の後方支柱と、を備えたことを特徴とするストレッチャー分離型ベッド。
【請求項２】
前記移動部は、前方に配置された一対の前輪と、前記一対の前輪を固定する車輪支持部材と、後方に配置された一対の後輪と、前記一対の後輪を固定する車輪支持部材と、前方の前記車輪支持部材と後方の前記車輪支持部材とを連結し、前記基台部を固定支持する筐体とを備え、
前記身体支持部は、前記一対の前方支柱を固定する支柱結合部材と、前記一対の後方支柱を固定する支柱結合部材を備え、前記一対の前方支柱の間及び前記一対の後方支柱の間に左右支柱連動手段を備え、前記一対の前方支柱を固定する支柱結合部材と前記支柱連動手段の間及び前記一対の後方支柱を固定する支柱結合部材と前記支柱連動手段の間に伸縮手段を備えたことを特徴とする請求項１に記載のストレッチャー分離型ベッド。
【請求項３】
前記左右支柱連動手段は、一方の支柱を動かすことにより他方の支柱がストレッチャー長手方向中央面に対して左右対称動作を行い、前記伸縮手段は、付勢手段を備えたことを特徴とする、請求項１または２に記載のストレッチャー分離型ベッド。
【請求項４】
前記ベッド本体は、前記ストレッチャーと当接する移動部案内機構及び支柱案内機構を備えたことを特徴とする、請求項１~３の何れか1つに記載のストレッチャー分離型ベッド。
【発明の詳細な説明】
【技術分野】
【０００１】
本発明は、ベッドから分離可能なストレッチャーを有するストレッチャー分離型ベッドに関するものである。
【背景技術】
【０００２】
介護を要する被介護者に対するベッドからの離床作業は、作業者にとって負担が大きく、介護スタッフに対する負担軽減が今後の課題となっている。介護現場と同様に腎臓透析などの医療の現場においても、介護が必要な透析患者に対するベッドから透析ベッドへの移乗作業は医療スタッフにとって負担が大きく、医療スタッフに対する負担軽減が今後の課題となっている。また、透析患者に対しても移乗作業は日常生活のQOL（Quality of Life）向上のため重要なものとなっている。
【０００３】
上記課題を解決するための移乗支援機器として、ベッド本体と分離可能な半ベッド部を有して、半ベッド部が車輪を備えて移動可能としたベッドが知られている（たとえば、特許文献１、２参照）。
【０００４】
図４は特許文献１に記載された従来の介護用ベッドを示す図である。図４によれば、ベッド本体４１と分離した半ベッド部４２の座部付近に車輪４３を設けて、移動可能としたものである。
【０００５】
また、図５は特許文献２に記載された従来の介護用ベッドを示す図である。図５によれば、ベッド本体５１と分離した半ベッド部５２は車椅子であって、車椅子は座面に自在輪である前輪５３、後輪５４とともに固定輪である走行輪５５を備え、車椅子姿勢では走行輪５５が下方となり、フラット姿勢では走行輪５５が上方となる位置構成により移動可能としたものである。
【先行技術文献】
【特許文献】
【０００６】
【特許文献１】特開２００２−５８７０９号公報
【特許文献２】特許第５３２６０４７号公報
【発明の概要】
【発明が解決しようとする課題】
【０００７】
しかしながら、従来技術（特許文献１）の構成では、分離した半ベッド部４２は車輪４３が座部付近に設けてあるために、半ベッド部４２のうち、背部や脚部に荷重が集中した場合にバランスをくずして、転倒の恐れがあるという課題を有している。
【０００８】
また、もう一方の従来技術（特許文献２）の構成では、分離形態が車椅子に限定した構成であり、かつフラット姿勢にした際に前輪５３側のみ前方に移動して車輪間隔が広がる構成であるが、後輪５４は固定のため、脚部に偏荷重がかかるとバランスをくずして転倒の恐れがあるという課題を有している。
【０００９】
本発明は、従来の課題を解決するもので、簡便な方法で転倒の恐れを抑制し、安全に移動させることができるストレッチャー分離型ベッドを提供することを目的とする。
【課題を解決するための手段】
【００１０】
上記課題を解決するために、本発明のストレッチャー分離型ベッドは、ストレッチャーと、前記ストレッチャーと分離可能に結合してベッドを構成するベッド本体とを備えたストレッチャー分離型ベッドであって、前記ベッド本体は、前記ストレッチャーと当接する移動部案内機構及び支柱案内機構を備え、前記ストレッチャーは、背中から脚までを支持する身体支持部と、前記身体支持部の座面付近を支持する基台部と、前記基台部を支持する移動部とを備え、前記身体支持部は、前方に配置された一対の前方支柱と、後方に配置された一対の後方支柱と、を備えたことを特徴とする。
【発明の効果】
【００１１】
以上のように、本発明のストレッチャー分離型ベッドによれば、ベッド本体とストレッチャーが分離した状態では、身体支持部に備えた前方支柱および後方支柱により身体支持部と床面との距離を一定以上に保つため、バランスが安定し、ストレッチャーの長手方向に偏荷重を与えても転倒の恐れを抑制し、安全に移動させることが可能である。
【図面の簡単な説明】
【００１２】
【図１ａ】本発明の実施の形態におけるストレッチャー分離型ベッドの外観を示す斜視図
【図１ｂ】本発明の実施の形態におけるストレッチャーの外観を示す斜視図
【図２ａ】本発明の実施の形態におけるストレッチャー身体支持部の構成を示す正面図
【図２ｂ】本発明の実施の形態におけるストレッチャー身体支持部の構成を示す左側面図
【図２ｃ】本発明の実施の形態におけるストレッチャー身体支持部の構成を示す下面図
【図３ａ】本発明の実施の形態におけるストレッチャー身体支持部が分離された状態での一例を示す左側面図
【図３ｂ】本発明の実施の形態におけるストレッチャー身体支持部が分離された状態での一例を示す下面図
【図３ｃ】本発明の実施の形態におけるストレッチャーと結合されるベッド本体の部位の一例を示す正面図
【図３ｄ】本発明の実施の形態におけるストレッチャーと結合されるベッド本体の部位の一例を示す上面図
【図３ｅ】本発明の実施の形態におけるストレッチャーとベッド本体が結合された状態の一例を示す左側面図
【図３ｆ】本発明の実施の形態におけるストレッチャーとベッド本体が結合された状態の一部分の一例を示す下面図
【図４】特許文献１に記載された従来の介護用ベッドを示す図
【図５】特許文献２に記載された従来の介護型ベッドを示す図
【発明を実施するための形態】
【００１３】
以下本発明の実施の形態について、図面を参照しながら説明する。
【００１４】
（基本構成）
図１ａは、本発明の実施の形態におけるストレッチャー分離型ベッドの外観を示す斜視図である。図１ａにおいて、ストレッチャー分離型ベッド１は、ベッド本体２とストレッチャー３に分離される。分離されたストレッチャー３は、単体のストレッチャーとして、移動可能に利用される。
【００１５】
図１ｂは、本発明の実施の形態におけるストレッチャーの外観を示す斜視図である。図１ｂにおいて、ストレッチャー３は、身体の背中から脚までを支える身体支持部４と、身体支持部４を支えて身体支持部４の座面付近に位置する基台部５と、を有する。身体支持部４には、ストレッチャーを安定させるための前方支柱５および後方支柱６を有し、基台部７には、ストレッチャー３を移動可能とするための車輪で構成された移動部８を有する。
【００１６】
また、基台部７には、身体支持部４の高さを調節するための昇降装置を有する場合もある。
【００１７】
（ストレッチャー身体支持部の構成）
図２ａは、本発明の実施の形態におけるストレッチャー身体支持部の構成を示す正面図である。図２ｂは、本発明の実施の形態におけるストレッチャー身体支持部の構成を示す左側面図である。図２ｃは、本発明の実施の形態におけるストレッチャー身体支持部の構成を示す下面図である。図２ａ、図２ｂ、図２ｃにおいて、図１と同じ構成要素については同じ符号を用い、説明を省略する。
【００１８】
図２ａ、図２ｂ、図２ｃにおいて、ストレッチャーの身体支持部４は、基台部７の上方に配置されており、身体保持部４は、前側に支柱結合部材９ａを介して配置された一対の前方支柱５と、後側に支柱結合部材９ｂを介して配置された一対の後方支柱６と、一対の前方支柱５間及び一対の後方支柱６間に連結された左右支柱連動機構１０と、それぞれの支柱結合部材９ａ、９ｂとそれぞれの左右支柱連動機構１０に連結されたそれぞれの伸縮手段１１で構成されている。
【００１９】
ここで、伸縮手段１１は、ストレッチャー３の短手方向に移動可能となるように配置されている。また、左右支柱連動機構１０は、一方の支柱を動かすことにより他方の支柱がストレッチャー３の中央長手方向面に対して左右対称動作するように構成されている。これにより、前方支柱５及び後方支柱６は、ストレッチャー３とベッド本体２が結合された状態では伸縮手段１１が伸張することでストレッチャー３の短手方向に折畳み格納された状態であり、ストレッチャー３とベッド本体２とが分離した状態では伸縮手段１１が収縮することでストレッチャー３の下方向へ伸びることが可能となる。
【００２０】
なお、ストレッチャー３がベッド本体２と分離後、前方支柱５及び後方支柱６がストレッチャー３の下方向へ伸びた状態においては、伸縮手段１１がロックされて、ストレッチャー３の短手方向の自由度が拘束されていることが望ましい。
【００２１】
以上の構成により、ベッド本体２とストレッチャー３が分離された後、ストレッチャー３単体の状態では前方支柱５、後方支柱６ともにストレッチャー３の下方向へ伸びるため、ストレッチャー３の長手方向に偏荷重を与えても転倒の恐れを抑制し、安全に移動させることが可能である。また、ベッド本体２とはストレッチャー３の状態で分離されるため、人体の姿勢を変えることなく、かつ移乗させることなく目的地への移動が可能となる。
【００２２】
（ばねなどの付勢手段を備えた機構による構成）
図３ａは、本発明の実施の形態におけるストレッチャー身体支持部が分離された状態での一例を示す左側面図である。図３ｂは、本発明の実施の形態におけるストレッチャー身体支持部が分離された状態での一例を示す下面図である。図３ｃは、本発明の実施の形態におけるストレッチャーが結合されるベッド本体の部位の一例を示す正面図である。図３ｄは、本発明の実施の形態におけるストレッチャーと結合されるベッド本体の部位の一例を示す上面図である。図３ｅは、本発明の実施の形態におけるストレッチャーがベッド本体と結合された状態の一例を示す左側面図である。図３ｆは、本発明の実施の形態におけるストレッチャーがベッド本体と結合された状態の一部分の一例を示す下面図である。
【００２３】
図３ａ、図３ｂにおいて、前記の移動可能な伸縮手段１１の一例として、支柱結合部材９ａ、９ｂとそれぞれの左右支柱連動機構１０をばねなどの付勢手段１２で連結して、ストレッチャー３の短手方向に伸縮可能な構成としている。
【００２４】
また、図３ｃは、本発明の実施の形態におけるストレッチャーが結合されるベッド本体の部位の一例を示す正面図である。図３ｄは、本発明の実施の形態におけるストレッチャーと結合されるベッド本体の部位の一例を示す上面図である。図３ｃ、図３ｄにおいて、ベッド本体２にはストレッチャー３の前方支柱５及び後方支柱６と当接するための支柱案内機構１３ａ、１３ｂと、移動部８と当接するための移動部案内機構１４ａ、１４ｂを備えている。
【００２５】
本構成によれば、ベッド本体２とストレッチャー３が分離する時にベッド本体２の移動部案内機構１４ａ、１４ｂに沿って、ストレッチャー３の移動部７が倣いながら移動するのにあわせてベッド本体２の支柱案内機構１３ａ、１３ｂに沿ってストレッチャー３の前方支柱５及び後方支柱６が倣いながらストレッチャー３の下方向に伸びていくため、ベッド本体２とストレッチャー３が分離された時に前方支柱５及び後方支柱６をストレッチャー３の下方向に伸ばすことが可能となる。
【００２６】
一方、ベッド本体２とストレッチャー３を結合する時にベッド本体２の移動部案内機構１４ａ、１４ｂに沿って、ストレッチャー３の移動部７が倣いながら移動するのにあわせてベッド本体２の支柱案内機構１３ａ、１３ｂに沿ってストレッチャー３の前方支柱５及び後方支柱６が倣いながらストレッチャー３の短手方向に折り畳まれていくため、ベッド本体２とストレッチャー３が結合した時に前方支柱５及び後方支柱６をストレッチャー３の短手方向に折り畳むことが可能となる（図３ｅ、図３ｆ参照）。
【００２７】
なお、ストレッチャー３がベッド本体２と分離後、前方支柱５及び後方支柱６がストレッチャー３の下方向へ伸びた状態で拘束されていることが望ましい。たとえば、支柱結合部材９ａ、９ｂをねじ締結やプランジャによるロック機構とする方法がある。
【００２８】
以上の構成により、身体支持部は付勢手段１２によって、ベッド本体２とストレッチャー３が分離された直後から、前方支柱５及び後方支柱６がストレッチャー３の下方向へ伸びるため、分離後の転倒の恐れを抑制し、安全に移動させることが可能である。また、この方法は、ばねなどの簡素な構造を用いており、比較的安価に実現することができる、さらにベッド本体２とストレッチャー３を分離、結合したときの前方支柱５及び後方支柱６の伸縮動作を手間をかけることなく簡便に行うことができる。
【産業上の利用可能性】
【００２９】
本発明のストレッチャー分離型ベッドは、ベッド本体と分離可能なストレッチャーが分離時に簡便な方法で、ストレッチャーの前方および後方に備えた支柱を出すことで、転倒の恐れを抑制し、安全に移動させることができるストレッチャー分離型ベッドに応用できる。
【符号の説明】
【００３０】
１    ストレッチャー分離型ベッド
２    ベッド本体
３    ストレッチャー
４    身体支持部
５    前方支柱
６    後方支柱
７    基台部
８    移動部
９ａ，９ｂ    支柱結合部材
１０    左右支柱連動機構
１１    伸縮手段
１２    付勢手段
１３ａ，１３ｂ    支柱案内機構
１４ａ，１４ｂ    移動部案内機構
４１    ベッド本体
４２    半ベッド部
４３    車輪
５１    ベッド本体
５２    半ベッド部
５３    前輪
５４    後輪
５５    走行輪
【図１ａ】
2018046956.tif 000003
【図１ｂ】
2018046956.tif 000004
【図２ａ】
2018046956.tif 000005
【図２ｂ】
2018046956.tif 000006
【図２ｃ】
2018046956.tif 000007
【図３ａ】
2018046956.tif 000008
【図３ｂ】
2018046956.tif 000009
【図３ｃ】
2018046956.tif 000010
【図３ｄ】
2018046956.tif 000011
【図３ｅ】
2018046956.tif 000012
【図３ｆ】
2018046956.tif 000013
【図４】
2018046956.tif 000014
【図５】
2018046956.tif 000015